(57)【要約】【課題】移動局がＣＳＩ-ＲＳに基づいてＣＳＩを報告するケースにおける無線基地局の処理負荷を軽減する。【解決手段】本発明に係る移動局ＵＥは、無線基地局ｅＮＢによって移動局ＵＥに対して確保されているＣＳＩ-ＲＳ用リソースのうち、ＣＳＩ-ＲＳが送信されていないリソースを用いて、無線品質を測定するように構成されている測定部２２を具備する。【選択図】図３
2014187660.tif 000002
【特許請求の範囲】
【請求項１】
移動局であって、
無線基地局によって前記移動局に対して確保されているＣＳＩ-ＲＳ（Ｃｈａｎｎｅｌ  Ｓｔａｔｅ  Ｉｎｆｏｒｍａｔｉｏｎ-Ｒｅｆｅｒｅｎｃｅ  Ｓｉｇｎａｌ）用リソースのうち、ＣＳＩ-ＲＳが送信されていないリソースを用いて、無線品質を測定するように構成されている測定部を具備することを特徴とする移動局。
【請求項２】
前記リソースを指定する測定対象情報を取得するように構成されている受信部を更に具備し、
前記測定部は、前記測定対象情報によって指定されている前記リソースを用いて、無線品質を測定するように構成されていることを特徴とする請求項１に記載の移動局。
【請求項３】
前記無線基地局に対して、前記無線品質に基づいて生成した測定報告を送信するように構成されている送信部を更に具備し、
前記測定報告は、前記無線品質の測定に用いた前記リソースを指定するように構成されていることを特徴とする請求項１又は２に記載の移動局。
【請求項４】
移動局に対して確保しているＣＳＩ-ＲＳ（Ｃｈａｎｎｅｌ  Ｓｔａｔｅ  Ｉｎｆｏｒｍａｔｉｏｎ-Ｒｅｆｅｒｅｎｃｅ  Ｓｉｇｎａｌ）用リソースのうち、ＣＳＩ-ＲＳを送信していないリソースを管理するように構成されている管理部と、
前記移動局に対して、前記リソースを通知する測定対象情報を送信するように構成されている送信部とを具備することを特徴とする無線基地局。
【請求項５】
前記移動局によって測定された前記無線品質に基づいて生成された測定報告を受信するように構成されている受信部を更に具備しており、
前記測定報告は、前記移動局によって前記無線品質の測定に用いられたリソースを指定するように構成されていることを特徴とする請求項４に記載の無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）方式において、セル端に位置する移動局ＵＥにおけるスループットの改善等を図ることを目的として、ＣｏＭＰ（Ｃｏｏｒｄｉｎａｔｅｄ  Ｍｕｌｔｉ-Ｐｏｉｎｔ、マルチポイント協調）送受信処理を適用することについて検討されている。
【０００３】
下りリンクにおけるＣｏＭＰ送信処理が行われる場合、無線基地局ｅＮＢが、配下のセルに接続している移動局ＵＥに対して、複数のＣＳＩ（Ｃｈａｎｎｅｌ  Ｓｔａｔｅ  Ｉｎｆｏｒｍａｔｉｏｎ）プロセスを設定するように構成されている。
【０００４】
かかるＣｏＭＰ送受信処理が行われる場合、移動局ＵＥは、無線基地局ｅＮＢに対して、設定されているＣＳＩプロセスごとに、ＣＳＩを報告するように構成されている。
【０００５】
具体的には、Ｒｅｌｅａｓｅ-１１のＬＴＥ方式の仕様では、移動局ＵＥは、「ＣＲＳ（Ｃｅｌｌ  ｓｐｅｃｉｆｉｃ  Ｒｅｆｅｒｅｎｃｅ  Ｓｉｇｎａｌ）」を用いて「ＲＳＲＰ（Ｒｅｆｅｒｅｎｃｅ  Ｓｉｇｎａｌ  Ｒｅｃｅｉｖｅｄ  Ｐｏｗｅｒ）/ＲＳＲＱ（Ｒｅｆｅｒｅｎｃｅ  Ｓｉｇｎａｌ  Ｒｅｃｅｉｖｅｄ  Ｑｕａｌｉｔｙ）」を測定し、その結果に基づいてＣＳＩを報告するように構成されている。
【先行技術文献】
【非特許文献】
【０００６】
【非特許文献１】３ＧＰＰ  ＴＲ３６.８１９  「Ｃｏｏｒｄｉｎａｔｅｄ  Ｍｕｌｔｉ-Ｐｏｉｎｔ  Ｏｐｅｒａｔｉｏｎ  ｆｏｒ  ＬＴＥ  Ｐｈｙｓｉｃａｌ  Ｌａｙｅｒ  Ａｓｐｅｃｔｓ」
【非特許文献２】３ＧＰＰ  ＴＳ３６.３３１
【発明の概要】
【発明が解決しようとする課題】
【０００７】
現在、ＬＴＥ方式では、ＣｏＭＰ送受信処理を適用する移動局ＵＥに対してＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）用のリソースを設定し、無線基地局ｅＮＢが、かかるリソースを用いてＣＳＩ-ＲＳを送信し、移動局ＵＥが、かかるＣＳＩ-ＲＳに基づいて「ＲＳＲＰ/ＲＳＲＱを測定することを検討している。
【０００８】
具体的には、図１１（ａ）に示すように、無線基地局ｅＮＢは、セル＃１（或いは、セル＃２）において特定の移動局ＵＥに対してＣＳＩ-ＲＳ用のリソース＃２（或いは、リソース＃３）を設定している場合には、セル＃２（或いは、セル＃１）において、かかるリソース＃２（或いは、リソース＃３）に対応するリソース＃４（或いは、リソース＃１）では何も送信しないように構成されている。
【０００９】
図１１（ｂ）に、各ＣＳＩ-ＲＳ用のリソースにおけるサービングセル及び干渉セルの関係を示す。
【００１０】
しかしながら、かかる場合、無線基地局ｅＮＢは、移動局ＵＥに対して、ＣＳＩの報告を期待する全てのＣＳＩ-ＲＳ用のリソースを設定し、かかるリソースにおいてＣＳＩ-ＲＳを送信する必要があり、無線基地局ｅＮＢにとって負荷であるという問題点があった。
【００１１】
また、無線基地局ｅＮＢは、ＣＳＩ-ＲＳ用のリソースとして割り当てるリソースを確保（プール）しておき、各リソースについて当該リソースにおいて品質の良い移動局ＵＥに対して割り当てることができる。
【００１２】
しかしながら、現在のＬＴＥ方式の仕様では、無線基地局ｅＮＢは、あるＣＳＩ-ＲＳ用のリソースを、現在割り当てている移動局ＵＥ以外の移動局ＵＥに割り当てたい場合には、一度、当該リソースを開放して、当該リソースを新たに当該移動局ＵＥに割り当てる必要があり、無線基地局ｅＮＢの処理が煩雑になるという問題点があった。
【００１３】
そこで、本発明は、上述の課題に鑑みてなされたものであり、移動局がＣＳＩ-ＲＳに基づいてＣＳＩを報告するケースにおける無線基地局の処理負荷を軽減することができる移動局及び無線基地局を提供することを目的とする。
【課題を解決するための手段】
【００１４】
本発明の第１の特徴は、移動局であって、無線基地局によって前記移動局に対して確保されているＣＳＩ-ＲＳ用リソースのうち、ＣＳＩ-ＲＳが送信されていないリソースを用いて、無線品質を測定するように構成されている測定部を具備することを要旨とする。
【００１５】
本発明の第２の特徴は、無線基地局であって、移動局に対して確保しているＣＳＩ-ＲＳ用リソースのうち、ＣＳＩ-ＲＳを送信していないリソースを管理するように構成されている管理部と、前記移動局に対して、前記リソースを通知する測定対象情報を送信するように構成されている送信部とを具備することを要旨とする。
【発明の効果】
【００１６】
以上説明したように、本発明によれば、移動局がＣＳＩ-ＲＳに基づいてＣＳＩを報告するケースにおける無線基地局の処理負荷を軽減することができる移動局及び無線基地局を提供することができる。
【図面の簡単な説明】
【００１７】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって確保されるＣＳＩ-ＲＳ用のリソースの一例を示す図である。
【図４】本発明の第１の実施形態に係る無線基地局によって送信される情報要素「ＭｅａＯｂｊｅｃｔＥＵＴＲＡ」の一例を示す図である。
【図５】本発明の第１の実施形態に係る無線基地局によって送信される情報要素「ＭｅａＯｂｊｅｃｔＥＵＴＲＡ」の一例を示す図である。
【図６】本発明の第１の実施形態に係る無線基地局によって送信される情報要素「ＭｅａＲｅｓｕｌｔｓ」の一例を示す図である。
【図７】本発明の第１の実施形態に係る無線基地局によって送信される情報要素「ＭｅａＲｅｓｕｌｔｓ」の一例を示す図である。
【図８】本発明の第１の実施形態に係る無線基地局によって送信される情報要素「ＭｅａＲｅｓｕｌｔｓ」内の情報要素「ＣＳＩ-ＲＳ-ＣｏｎｆｉｇＺＰ」の一例を示す図である。
【図９】本発明の第１の実施形態に係る無線基地局によって送信される情報要素「ＭｅａＲｅｓｕｌｔｓ」内の情報要素「ＣＳＩ-ＲＳ-ＣｏｎｆｉｇＺＰ」内の情報要素「ＣＳＩ-ＲＳ-ＩｄｅｎｔｉｔｙＺＰ」の一例を示す図である。
【図１０】本発明の第１の実施形態に係る移動局の機能ブロック図である。
【図１１】従来技術を説明するための図である。
【発明を実施するための形態】
【００１８】
（本発明の第１の実施形態に係る移動通信システム）
図１乃至図１０を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１９】
本実施形態に係る移動通信システムは、下りリンクにおけるＣｏＭＰ送信処理を行うことができるように構成されている。
【００２０】
図１に示すように、本実施形態に係る移動通信システムでは、セル＃１及び＃２において、下りリンクにおけるＣｏＭＰ送信処理を提供することができるように構成されている、すなわち、セル＃１及び＃２が、下りリンクにおけるＣｏＭＰ送信処理のサポートエリアとなるように構成されているものとする。
【００２１】
なお、セル＃１及び＃２は、同一の無線基地局ｅＮＢによって管理されていてもよいし、異なる無線基地局ｅＮＢによって管理されていてもよい。また、セル＃１及び＃２は、異なるカバレッジエリアを有しているものとする。
【００２２】
また、セル＃１及び＃２は、マクロセルであってもよいし、マクロセルに地理的に重なるスモールセルであってもよい。
【００２３】
図２に示すように、本実施形態に係る無線基地局ｅＮＢは、管理部１１と、送信部１２と、受信部１３とを具備している。
【００２４】
管理部１１は、セル＃１及び＃２において各移動局ＵＥに対して確保しているＣＳＩ-ＲＳ用リソースを管理するように構成されている。
【００２５】
また、管理部１１は、各移動局ＵＥに対して確保しているＣＳＩ-ＲＳ用リソースにおいてＣＳＩ-ＲＳを送信しているか否かについて管理するように構成されている。
【００２６】
すなわち、管理部１１は、各移動局ＵＥに対して確保しているＣＳＩ-ＲＳ用リソースのうち、ＣＳＩ-ＲＳを送信していないリソースを管理するように構成されている。
【００２７】
図３の例では、管理部１１は、移動局ＵＥに対して、セル＃２において、ＣＳＩ-ＲＳ用リソース＃１〜＃４を確保するように構成されている。
【００２８】
送信部１２は、各移動局ＵＥに対して各種信号を送信するように構成されており、受信部１３は、各移動局ＵＥから各種信号を受信するように構成されている。
【００２９】
具体的には、送信部１２は、セル＃１及び＃２において、ＣＲＳを送信するように構成されている。ここで、ＣＲＳは、ＬＴＥのＲｅｌ-８/９方式で規定されている参照信号であって、各セル内の全ての移動局ＵＥに対して共通に設定される参照信号である。
【００３０】
また、送信部１２は、セル＃１及び＃２において各移動局ＵＥに対して確保しているＣＳＩ-ＲＳ用リソースにおいて、ＣＳＩ-ＲＳを送信することができるように構成されている。ここで、ＣＳＩ-ＲＳは、ＬＴＥのＲｅｌ-１０方式で規定されている参照信号である。
【００３１】
図３の例では、送信部１２は、セル＃１及び＃２において各移動局ＵＥに対して確保しているＣＳＩ-ＲＳ用リソース＃１〜＃４の全てにおいて、ＣＳＩ-ＲＳを送信していない（ＣＳＩ-ＲＳ-ＣｏｎｆｉｇＺＰ）。
【００３２】
また、送信部１２は、移動局ＵＥに対して、各移動局ＵＥに対して確保しているＣＳＩ-ＲＳ用リソースのうち、ＣＳＩ-ＲＳを送信していないリソースを通知する情報要素「ＭｅａｓＯｂｊｅｃｔＥＵＴＲＡ」を送信するように構成されている。
【００３３】
具体的には、送信部１２は、図４及び図５に示すように、情報要素「ＭｅａｓＯｂｊｅｃｔＥＵＴＲＡ」内の「ＣＳＩ-ＲＳ-ＣｏｎｆｉｇＺＰＴｏＡｄｄＭｏｄＬｉｓｔ-ｒ１１」及び「ＣＳＩ-ＲＳ-ＣｏｎｆｉｇＺＰＴｏＲｅｌｅａｓｅＬｉｓｔ-ｒ１１」を用いて、上述のリソースを通知するように構成されている。
【００３４】
また、受信部１３は、移動局ＵＥによって測定された無線品質に基づいて生成された「Ｍｅａｓｕｒｅｍｅｎｔ  Ｒｅｐｏｒｔ」を受信するように構成されている。
【００３５】
かかる「Ｍｅａｓｕｒｅｍｅｎｔ  Ｒｅｐｏｒｔ」は、情報要素「ＭｅａｓＲｅｓｕｌｔｓ」を含むように構成されている。ここで、情報要素「ＭｅａｓＲｅｓｕｌｔｓ」は、移動局ＵＥによって無線品質の測定に用いられたリソースを指定するように構成されている。
【００３６】
具体的には、情報要素「ＭｅａｓＲｅｓｕｌｔｓ（図６及び図７参照）」内の情報要素「ＣＳＩ-ＲＳ-ＣｏｎｆｉｇＺＰ」（図８参照）」内の情報要素「ＣＳＩ-ＲＳ-ＩｄｅｎｔｉｔｙＺＰ（図９参照）」が、移動局ＵＥによって無線品質の測定に用いられたリソースを指定するように構成されている。
【００３７】
図１０に示すように、本実施形態に係る移動局ＵＥは、受信部２１と、測定部２２と、送信部２３とを具備している。
【００３８】
受信部２１は、無線基地局ｅＮＢから各種信号を受信するように構成されている。
【００３９】
具体的には、受信部２１は、無線基地局ｅＮＢによって移動局ＵＥに対して確保されているＣＳＩ-ＲＳ用リソースにおいて、ＣＳＩ-ＲＳを受信するように構成されている。
【００４０】
ここで、受信部２１は、無線基地局ｅＮＢによって移動局ＵＥに対して確保されているＣＳＩ-ＲＳ用リソースのうち、情報要素「ＭｅａｓＯｂｊｅｃｔＥＵＴＲＡ」によってＣＳＩ-ＲＳを送信していないリソースと通知されている以外のリソースにおいて、ＣＳＩ-ＲＳを受信するように構成されていてもよい。
【００４１】
測定部２２は、無線基地局ｅＮＢによって移動局ＵＥに対して確保されているＣＳＩ-ＲＳ用リソースのうち、ＣＳＩ-ＲＳが送信されていないリソースを用いて無線品質（ＲＳＲＰやＲＳＲＱ）を測定するように構成されている。
【００４２】
図３の例では、測定部２２は、リソース＃１〜＃４の何れかにおいて無線品質（ＲＳＲＰやＲＳＲＱ）を測定するように構成されている。なお、測定部２２は、リソース＃１〜＃４のうちの複数のリソースにおいて無線品質（ＲＳＲＰやＲＳＲＱ）を測定するように構成されていてもよい。
【００４３】
送信部２３は、無線基地局ｅＮＢに対して、上述の無線品質（ＲＳＲＰやＲＳＲＱ）に基づいて生成した「Ｍｅａｓｕｒｅｍｅｎｔ  Ｒｅｐｏｒｔ」を送信するように構成されている。
【００４４】
かかる「Ｍｅａｓｕｒｅｍｅｎｔ  Ｒｅｐｏｒｔ」は、図６及び図７に示す情報要素「ＭｅａｓＲｅｓｕｌｔｓ」を含むように構成されている。
【００４５】
具体的には、送信部２３は、情報要素「ＭｅａｓＲｅｓｕｌｔｓ（図６及び図７参照）」内の情報要素「ＣＳＩ-ＲＳ-ＣｏｎｆｉｇＺＰ」（図８参照）」内の情報要素「ＣＳＩ-ＲＳ-ＩｄｅｎｔｉｔｙＺＰ（図９参照）」によって、移動局ＵＥによって無線品質の測定に用いられたリソースを指定するように構成されている。
【００４６】
以上に述べた本実施形態の特徴は、以下のように表現されていてもよい。
【００４７】
本実施形態の第１の特徴は、移動局ＵＥであって、無線基地局ｅＮＢによって移動局ＵＥに対して確保されているＣＳＩ-ＲＳ用リソースのうち、ＣＳＩ-ＲＳが送信されていないリソースを用いて、無線品質を測定するように構成されている測定部２２を具備することを要旨とする。
【００４８】
かかる特徴によれば、移動局ＵＥが、無線基地局ｅＮＢによって移動局ＵＥに対して確保されているＣＳＩ-ＲＳ用リソースのうち、ＣＳＩ-ＲＳが送信されていないリソースを用いて、無線品質を測定するように構成されているため、無線基地局ｅＮＢが、移動局ＵＥに対して確保されているＣＳＩ-ＲＳ用リソースの全てにおいてＣＳＩ-ＲＳを送信する必要がなくなり、無線基地局ｅＮＢの負荷を軽減することができる。
【００４９】
本実施形態の第１の特徴において、移動局ＵＥは、上述のリソースを指定する情報要素「ＭｅａｓＯｂｊｅｃｔＥＵＴＲＡ（測定対象情報）」を取得するように構成されている受信部２１を更に具備し、測定部２２は、「ＭｅａｓＯｂｊｅｃｔＥＵＴＲＡ」によって指定されているリソースを用いて、無線品質を測定するように構成されていてもよい。
【００５０】
かかる特徴によれば、移動局ＵＥは、既存の情報要素「ＭｅａｓＯｂｊｅｃｔＥＵＴＲＡ」を流用して、移動局ＵＥに対して確保されているＣＳＩ-ＲＳ用リソースのうち、ＣＳＩ-ＲＳが送信されていないリソースを把握することができる。
【００５１】
本実施形態の第１の特徴において、移動局ＵＥは、無線基地局ｅＮＢに対して、上述の無線品質に基づいて生成した「Ｍｅａｓｕｒｅｍｅｎｔ  Ｒｅｐｏｒｔ（測定報告）」を送信するように構成されている送信部２３を更に具備し、  「Ｍｅａｓｕｒｅｍｅｎｔ  Ｒｅｐｏｒｔ」は、かかる無線品質の測定に用いたリソースを指定するように構成されていてもよい。
【００５２】
かかる特徴によれば、無線基地局ｅＮＢが、移動局ＵＥに対して確保されているＣＳＩ-ＲＳ用リソースのうちＣＳＩ-ＲＳが送信されていないリソースの中から、移動局ＵＥによってＣＳＩの基礎となる無線品質の測定を行ったリソースを知ることができる。
【００５３】
本実施形態の第２の特徴は、無線基地局ｅＮＢであって、移動局ＵＥに対して確保しているＣＳＩ-ＲＳ用リソースのうち、ＣＳＩ-ＲＳを送信していないリソースを管理するように構成されている管理部１１と、移動局ＵＥに対して、かかるリソースを通知する情報要素「ＭｅａｓＯｂｊｅｃｔＥＵＴＲＡ」を送信するように構成されている送信部１２とを具備することを要旨とする。
【００５４】
かかる特徴によれば、無線基地局ｅＮＢは、移動局ＵＥに対して、移動局ＵＥに対して確保しているＣＳＩ-ＲＳ用リソースのうち、ＣＳＩ-ＲＳを送信していないリソースを通知することで、ＣＳＩ-ＲＳ用リソースの全てにおいてＣＳＩ-ＲＳを送信する必要がなくなり、かつ、ＣＳＩ-ＲＳ用リソースを割り当てる移動局ＵＥを変更する際の煩雑な手続きを回避することができる。
【００５５】
本実施形態の第２の特徴において、無線基地局ｅＮＢは、移動局ＵＥによって測定された無線品質に基づいて生成された「Ｍｅａｓｕｒｅｍｅｎｔ  Ｒｅｐｏｒｔ」を受信するように構成されている受信部２３を更に具備しており、「Ｍｅａｓｕｒｅｍｅｎｔ  Ｒｅｐｏｒｔ」は、移動局ＵＥによって無線品質の測定に用いられたリソースを指定するように構成されていてもよい。
【００５６】
かかる特徴によれば、無線基地局ｅＮＢが、移動局ＵＥに対して確保されているＣＳＩ-ＲＳ用リソースのうちＣＳＩ-ＲＳが送信されていないリソースの中から、移動局ＵＥによってＣＳＩの基礎となる無線品質の測定を行ったリソースを知ることができる。
【００５７】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００５８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００６０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６１】
ｅＮＢ…無線基地局
ＵＥ…移動局
１１…管理部
１２、２３…送信部
１３、２１…受信部
２２…測定部
【図１】
2014187660.tif 000003
【図２】
2014187660.tif 000004
【図３】
2014187660.tif 000005
【図４】
2014187660.tif 000006
【図５】
2014187660.tif 000007
【図６】
2014187660.tif 000008
【図７】
2014187660.tif 000009
【図８】
2014187660.tif 000010
【図９】
2014187660.tif 000011
【図１０】
2014187660.tif 000012
【図１１】
2014187660.tif 000013